(57)【要約】【課題】吸収性物品が包装された包装体を手に取ることなく、被包装吸収性物品と同種若しくは異なる種類における、被包装吸収性物品の位置付けを即座に認識出来て、吸収性物品の選択判断を助ける情報を容易に得られる吸収性物品の包装体を提供する。【解決手段】吸収性物品であるナプキンの陳列用包装体１において、包装される被包装ナプキン及び当該被包装ナプキンと同種若しくは異なる種類の他ナプキン群に関する案内表示２が、包装体１の前面１ａに設けられ、案内表示２における被包装ナプキンの表示態様は、他ナプキン群の表示態様と異なるよう構成した。【選択図】図１
2005126119.tif 000002
【特許請求の範囲】
【請求項１】
吸収性物品の陳列用包装体において、
包装される被包装吸収性物品及び当該被包装吸収性物品と同種若しくは異なる種類の他吸収性物品群に関する案内表示が、当該陳列用包装体の前面に設けられ、
前記案内表示における前記被包装吸収性物品の表示態様は、前記他吸収性物品群の表示態様と異なることを特徴とする吸収性物品の陳列用包装体。
【請求項２】
前記案内表示には、前記被包装吸収性物品及び前記他吸収性物品群に含まれる個々の吸収性物品の使用に適した着用者に関する着用者表示が含まれることを特徴とする請求項１に記載の吸収性物品の陳列用包装体。
【請求項３】
前記案内表示には、前記被包装吸収性物品及び前記他吸収性物品群に含まれる個々の吸収性物品の使用に適した場面に関する使用シーン表示が含まれることを特徴とする請求項１又は２に記載の吸収性物品の陳列用包装体。
【請求項４】
前記案内表示には、前記被包装吸収性物品及び前記他吸収性物品群に含まれる個々の吸収性物品の形状を表した形状表示が含まれることを特徴とする請求項１〜３の何れか一項に記載の吸収性物品の陳列用包装体。
【請求項５】
前記案内表示には、前記被包装吸収性物品及び前記他吸収性物品群に含まれる個々の吸収性物品の長さに関する長さ表示が含まれることを特徴とする請求項１〜４の何れか一項に記載の吸収性物品の陳列用包装体。
【請求項６】
前記案内表示には、前記被包装吸収性物品及び前記他吸収性物品群に含まれる個々の吸収性物品の吸収量に関する吸収量表示が含まれることを特徴とする請求項１〜５の何れか一項に記載の吸収性物品の陳列用包装体。
【請求項７】
前記案内表示には、前記被包装吸収性物品及び前記他吸収性物品群に含まれる個々の吸収性物品の厚みに関する厚み表示が含まれることを特徴とする請求項１〜６の何れか一項に記載の吸収性物品の陳列用包装体。
【請求項８】
前記案内表示は、前記被包装吸収性物品及び当該被包装吸収性物品と同種類の吸収性物品群と、前記被包装吸収性物品と異なる種類の吸収性物品群とが、識別可能に色分けされ、
当該陳列用包装体のベース色が、前記案内表示における前記被包装吸収性物品の色と同系色となっていることを特徴とする請求項１〜７の何れか一項に記載の吸収性物品の陳列用包装体。
【発明の詳細な説明】
【技術分野】
【０００１】
本発明は、吸収性物品の陳列用包装体に関する。
【背景技術】
【０００２】
従来、吸収性物品としての使い捨て紙おむつや生理用ナプキンを選択する際、ユーザは、店頭の陳列棚において、様々なメーカーから種々のコンセプトに沿って展開されている多くのシリーズの中から好みのシリーズを選択し、更にその中から目的に合致した性能を有する使い捨て紙おむつや生理用ナプキンを選ぶ。そのため、使い捨て紙おむつや生理用ナプキンの陳列用包装体には、購入者の判断を助けるべく多くの情報が印刷されている。例えば、大人用使い捨て紙おむつを例に挙げると、シリーズのラインアップが使用状況別に表記されている包装体が知られている（例えば、特許文献１）。ここで、使用状況とは、例えば「１人で歩ける」、「介助があれば歩ける」、「介助があれば立てる」、「介助があれば座れる」、「寝て過ごす」、等の生活スタイルを指し、これらの状況が簡略化された図柄となって包装体の目立つ場所に印刷されている。従って、購入者はこの図柄を見て、使用状況に最も適したおむつを選ぶことが出来る。さらに、該包装体で包装されている使い捨て紙おむつがどの使用状況の着用者に対応したものなのかをより分かり易く示すために、該当する図柄を他の図柄よりも大きくしたり、色で区別をつけたりなどして、購入者の判断や選択を助ける工夫がなされている。
【特許文献１】特開２００２−２７８４９１号公報
【０００３】
その他にも、生理用ナプキン（以下、「ナプキン」という）を例に挙げると、包装体の天面に、各シリーズのラインアップが表示され、前面にブランド名やシリーズ名が表示されたタイプが知られている。このラインアップには、シリーズ毎にナプキンの長さや羽、ヒップガードの有無などが表示されており、購入者は、このラインアップを参考にしてナプキンを選ぶことが出来る。
【発明の開示】
【発明が解決しようとする課題】
【０００４】
しかし、特許文献１に記載された使い捨て紙おむつや上述したナプキンの場合、シリーズのラインアップは、通常、包装体の天面に印刷されており、陳列棚に陳列された状態ではラインアップが確認できないため、手に取らなければ確認することが出来ず、面倒であるとともに、恥ずかしいという感情を持たせてしまうという問題があった。
さらに、シリーズ名や、各ラインアップ商品の長さや形状などは示されているものの、外出、自宅、長時間等、どういった使用シーンに適した形状であるかの表示がなされていないため、購入者はシリーズ名やナプキンの長さ、その形状等の情報から感覚的に判断することとなり、さらに個人差などにも因って、判断を誤り実際の使用状況にそぐわないナプキンを選択してしまうという問題があった。
その上、生理中は、経血量の少ない時、ふつうの時、多い時、就寝時や長時間取り替えられない時等様々なシチュエーションが考えられるため、通常何種類かのナプキンを使い分ける。例えば、ふつうの経血量である日の昼間は、スタンダードシリーズのナプキンを使用し、経血量が多い日の就寝時には、より厚く長いシリーズのナプキンを使用する。しかし、上述したナプキンの包装体では、スタンダードシリーズのナプキンの包装体を確認すると、スタンダードシリーズと厚みのあるシリーズの両方がラインアップに表示してあるので、厚みのあるシリーズのナプキンが販売されているということは容易に把握できるが、目的のナプキンが陳列棚のどこに置かれているのかが一目では分かりずらく、幾つかの商品を手にとって、天面に印刷されたラインアップを確認しなければならず、選択までに手間がかかるという問題があった。
【０００５】
そこで、本願発明の課題は、吸収性物品が包装された包装体を手に取ることなく、被包装吸収性物品と同種若しくは異なる種類における、被包装吸収性物品の位置付けを即座に認識出来て、吸収性物品の選択判断を助ける情報を容易に得られる吸収性物品の包装体を提供することである。
【課題を解決するための手段】
【０００６】
前述した課題を解決するために、請求項１に記載の発明は、吸収性物品の陳列用包装体において、包装される被包装吸収性物品及び当該被包装吸収性物品と同種若しくは異なる種類の他吸収性物品群に関する案内表示が、当該陳列用包装体の前面に設けられ、前記案内表示における前記被包装吸収性物品の表示態様は、前記他吸収性物品群の表示態様と異なることを特徴とする。
【０００７】
請求項２に記載の発明は、請求項１に記載の吸収性物品の陳列用包装体において、前記案内表示には、前記被包装吸収性物品及び前記他吸収性物品群に含まれる個々の吸収性物品の使用に適した着用者に関する着用者表示が含まれることを特徴とする。
【０００８】
請求項３に記載の発明は、請求項１又は２に記載の吸収性物品の陳列用包装体において、前記案内表示には、前記被包装吸収性物品及び前記他吸収性物品群に含まれる個々の吸収性物品の使用に適した場面に関する使用シーン表示が含まれることを特徴とする。
【０００９】
請求項４に記載の発明は、請求項１〜３の何れか一項に記載の吸収性物品の陳列用包装体において、前記案内表示には、前記被包装吸収性物品及び前記他吸収性物品群に含まれる個々の吸収性物品の形状を表した形状表示が含まれることを特徴とする。
【００１０】
請求項５に記載の発明は、請求項１〜４の何れか一項に記載の吸収性物品の陳列用包装体において、前記案内表示には、前記被包装吸収性物品及び前記他吸収性物品群に含まれる個々の吸収性物品の長さに関する長さ表示が含まれることを特徴とする。
【００１１】
請求項６に記載の発明は、請求項１〜５の何れか一項に記載の吸収性物品の陳列用包装体において、前記案内表示には、前記被包装吸収性物品及び前記他吸収性物品群に含まれる個々の吸収性物品の吸収量に関する吸収量表示が含まれることを特徴とする。
【００１２】
請求項７に記載の発明は、請求項１〜６の何れか一項に記載の吸収性物品の陳列用包装体において、前記案内表示には、前記被包装吸収性物品及び前記他吸収性物品群に含まれる個々の吸収性物品の厚みに関する厚み表示が含まれることを特徴とする。
【００１３】
請求項８に記載の発明は、請求項１〜７の何れか一項に記載の吸収性物品の陳列用包装体において、前記案内表示は、前記被包装吸収性物品及び当該被包装吸収性物品と同種類の吸収性物品群と、前記被包装吸収性物品と異なる種類の吸収性物品群とが、識別可能に色分けされ、当該陳列用包装体のベース色が、前記案内表示における前記被包装吸収性物品の色と同系色となっていることを特徴とする。
【発明の効果】
【００１４】
請求項１に記載の発明によれば、陳列用包装体に包装された被包装吸収性物品及び他吸収性物品の案内表示が陳列用包装体の前面に表示されることとなるので、陳列棚に並んだ状態でも案内表示を視認することが出来ることとなって、案内表示を確認するために吸収性物品の包装体を手に取る必要がなくなり、面倒、恥ずかしいといった感情を起こさせることがなくなる。
また、案内表示における被包装吸収性物品の表示態様は、他吸収性物品群の表示態様と異なるので、被包装吸収性物品と同種若しくは異なる種類における、目的の吸収性物品の位置付けを即座に認識できることとなって、吸収性物品の選択判断を助ける情報が簡易に得られ、商品の選択を容易に行うことが出来る。
【００１５】
請求項２に記載の発明によれば、請求項１に記載の発明の効果が得られるのは当然のこと、案内表示を一見するだけで、使用に適した着用者に関する情報を認識することが出来るので、使用目的に合った適切な吸収性物品をより確実に選択することが出来る。
【００１６】
請求項３に記載の発明によれば、請求項１又は２に記載の発明の効果が得られるのは当然のこと、案内表示を一見するだけで、使用に適した場面に関する情報を認識することが出来るので、使用目的に合った適切な吸収性物品をより確実に選択することが出来る。
【００１７】
請求項４に記載の発明によれば、請求項１〜３に記載の発明の効果が得られるのは当然のこと、案内表示を一見するだけで、吸収性物品の形状を認識することが出来るので、使用目的に合った適切な吸収性物品をより確実に選択することが可能となる。また、案内表示において、被包装吸収性物品の形状が示されるために、陳列用包装体表面に設けられる被包装吸収性物品の図柄を小さくしたり、あるいは省略することができることとなって、吸収性物品であることが分かりずらくなり、買い易くなる。
【００１８】
請求項５に記載の発明によれば、請求項１〜４に記載の発明の効果が得られるのは当然のこと、案内表示を一見するだけで、吸収性物品の長さを認識することが出来るので、使用目的に合った適切な吸収性物品をさらに確実に選択することが出来る。
【００１９】
請求項６に記載の発明によれば、請求項１〜５に記載の発明の効果が得られるのは当然のこと、案内表示を一見するだけで、吸収性物品が吸収可能な水分量を認識することが出来るので、使用目的に合った適切な吸収性物品をさらに確実に選択することが出来る。
【００２０】
請求項７に記載の発明によれば、請求項１〜６に記載の発明の効果が得られるのは当然のこと、案内表示を一見するだけで、吸収性物品の厚みを認識することが出来るので、使用目的に合った適切な吸収性物品をさらに確実に選択することが出来る。
【００２１】
請求項８に記載の発明によれば、請求項１〜７に記載の発明の効果が得られるのは当然のこと、案内表示を一見するだけで、陳列棚に陳列された状態で、少し離れた位置からであっても、被包装吸収性物品が、どの種類に属すのかを認識することが出来るのみならず、陳列棚に並んだ他の陳列用包装体が包装する吸収性物品の種類を容易に判断することが出来る。
従って、選択の判断を助ける情報が瞬時に得られることとなって、目的の種類を容易に見付け出すことが出来る。
【発明を実施するための最良の形態】
【００２２】
本願発明である吸収性物品の陳列用包装体の説明をするにあたって、各実施形態における吸収性物品としては生理用ナプキン（以下、「ナプキン」という）を、陳列用包装体としては天面と側面及び底面を有する略立方状の陳列用包装体（以下、「包装体」という）を指すものとする。しかし、吸収性物品及び陳列用包装体に関してこれに限定するものではない。
包装体が包装するナプキンは、その目的、用途に応じて様々な種類があるものの、包装体で包装されることにより、いずれのナプキンも見掛け上同様の形状となって見分けがつかなくなってしまう。そこで、包装されている吸収性物品の特定を行い、購入者の選択判断を助けるために、包装体の表面に、包装されている被包装吸収性物品と同種若しくは異なる種類の他吸収性物品群に関する案内表示が設けられる。本願発明においては、案内表示は包装体の前面に設けられている。
【００２３】
ここで、「陳列」とは、見せるために物品を並べて置くことを指し、例えば、売り場において商品棚に置かれていたり、商品棚に置かれていなくても、台、ワゴン、什器等の上に積まれていたり、段ケースの状態で売り場に置かれた状態等を指す。
また、「前面」とは、包装体によって包装されたナプキンが陳列棚に陳列された場合に、売り場通路側に面する側面を指すが、これに限るものではなく、購入者から容易に視認出来る位置であれば足りる。
さらに、「同種類」若しくは「同種」とは「同シリーズ」を指し、「異なる種類」とは「異なるシリーズ」を指す。具体的な「シリーズ」としては、例えばナプキンを例に挙げると「スタンダード」、「厚め」、「スリム」、「スーパースリム」等ナプキンの厚みによって分類された種類を指す。しかし、シリーズ名としては必ずしも「スタンダード」「厚め」「スリム」「スーパースリム」というような表現に限られず、そのナプキンを使用した際に得られる使用感で表現される場合もあり、また、その他にも「さらさら」や「ふわふわ」等装着感で表現される場合もある。
「ラインアップ」とは、一の「シリーズ」において取り揃えられている複数のナプキン群を指す。
【００２４】
以下、具体的に本発明の実施形態を説明する。
（実施形態１）
図１は、実施形態１のナプキンの包装体の斜視図である。
図１に示すように、本願発明にかかる包装体１において、包装体１の前面１ａには、案内表示２、商品名表示３、販売元表示４、ナプキンの図柄表示５、包装個数表示６等が設けられる。このため、購入者は包装体１を手に取ることなく、案内表示２や商品名表示３、包装個数表示６等を視認することが出来ることとなる。
【００２５】
商品名表示３としては、ナプキンのイメージを表現するコンセプトや造語、ブランド名などの表示が挙げられる。この商品名表示３は、購入者がナプキンを選択する際に、その判断を助ける情報として利用される。例えば、図１では、包装体１の前面１ａの右上端と右下端に、それぞれコンセプトを示す文字列とブランド名を表示した。商品名表示３は、複数個、複数箇所に設けても良い。また、必ずしも包装体１の前面１ａに設ける必要はなく、その配置、大きさも任意に決定して構わない。
【００２６】
販売元表示４及び包装個数表示６についても、商品名表示３と同様に、ナプキンを選択する際の判断を助ける情報として利用される。本実施形態１においては、例えば、図１に示すように、包装体１の前面１ａの左上端に包装個数表示６を、左下端に販売元表示４を設けた。販売元表示４及び包装個数表示６についても、必ずしも包装体１の前面１ａに設ける必要はなく、またその配置、大きさも任意に決定して構わない。
【００２７】
ナプキンの図柄表示５については、商品名表示３や販売元表示４、包装個数表示６と同様に購入者の選択判断を助ける情報として有用である。本実施形態１おいては、例えば、図１に示すように、包装体１の前面１ａの左下にナプキンの図柄表示５を設けた。ナプキンの図柄表示５については、有用性が高いため、包装体１の前面１ａにおいて表示することが望ましいが、大きく表示されることによって恥ずかしいという感情を起こさせてしまい、買い難くさせてしまう可能性もある。本実施形態１においては、案内表示２が包装体１の前面１ａに設けられ、案内表示２においてナプキンの形状が模式的に表示されているため、ナプキンの図柄表示５を包装体１の前面１ａに大きく表示する必要がなくなり、極力小さくすることが可能になる。また、場合によってはナプキンの図柄表示５は省略することもできる。
【００２８】
案内表示２は、包装体１の前面１ａにおいて特に購入者から視認し易い位置に設けられる。例えば、陳列棚に陳列された際に、陳列棚の落下防止柵にかかる部分は隠れてしまうことが多いため、出来るだけ上方に設けることが望ましい。
包装体１の案内表示２において表示される情報としては、ナプキンの使用に適した着用者に関する着用者表示（以下、「着用者表示」という）１１、ナプキンの使用に適した場面に関する使用シーン表示（以下、「使用シーン表示」という）１２、ナプキンの形状を表した形状表示（以下、「形状表示」という）１３、ナプキンの長さに関する長さ表示（以下、「長さ表示」という）１４、同種類（同シリーズ）のナプキンとこれと異なる種類（異なるシリーズ）のナプキンとが識別可能なシリーズ表示（以下、「シリーズ表示」という）１５等である。
これらの情報全てが案内表示２の中に組み込まれており、それぞれの情報に関して目的に合った項目を選択することによって、最適なナプキンを選択することが出来ることとなる。
【００２９】
また、包装体１によって包装されている被包装ナプキンは、案内表示２において、その他のナプキンと識別できるように異なる表示態様にて表示される。具体的には、本実施形態１では、例えば、図１に示すように、案内表示２における被包装ナプキンの表示に濃い色を施し、他のナプキンの表示に薄い色を施すことにより識別可能としている。
【００３０】
着用者表示１１は、購入者が、自身の経血量を判断基準としてナプキンを選択することが出来るよう設けられている。経血量は個人差があり、例えば生理が始まったばかりの時期であっても経血量が多い人や、生理期間を通して常に一定の人、ムラがある人等、一概に、生理期間中の時期に応じてその経血量を定めることは難しい。従って、生理期間中の時期を経血量の基準とするのは難しく、また、定常的に経血量の多い人の「ふつう」の状態と、定常的に経血量の少ない人の「多い」状態とでは、経血量にさほど差がないという事実も無視できない。
そこで、本実施形態１においては、例えば、図１に示すように、着用者表示１１は、案内表示２の最上段に設けられ、経血量が、「少ない」（１１ａ）、「ふつう」（１１ｂ）、「多い」（１１ｃ）の三項目から選択することが出来ることとした。これにより、経血量に関する判断は購入者に委ねられることとなる。
【００３１】
使用シーン表示１２は、購入者が、ナプキンを使用するシーンを判断基準としてナプキンを選択することが出来るよう設けられている。生理期間中は様々なシーンでナプキンを使用することとなる。例えば、自宅、外出先といった場所的要素を含むシーン、昼間、夜間等の時間的要素を含むシーン、その他にも試験等の拘束によって、長時間ナプキンを取り替えられないシーンなど、様々なシーンに対応しなければならない。
そこで、本実施形態１においては、例えば、図１に示すように、「自宅」（１２ａ）、「外出」（１２ｂ）、「長時間」（１２ｃ）、「昼」（１２ｄ）、「夜」（１２ｅ）の各使用シーンに関する選択が出来ることとした。使用シーンを選択できることによって、たとえば外出先では、携帯に便利な薄型のシリーズを選択し、就寝時には羽やヒップホールドがついており、且つ全長が長いシリーズを選択するよう促すことが出来る。
尚、本実施形態では、着用者表示１１が「ふつう」（１１ｂ）の場合についてのみ、「自宅」（１２ａ）、「外出」（１２ｂ）、「長時間」（１２ｃ）と、使用シーン表示１２を設定して細分化しているが、「少ない」（１１ａ）、「多い」（１１ｃ）場合においても同様に使用シーン表示１２を設けて細分化しても構わない。
また、本実施の形態では、使用シーン表示１２は、着用者表示１１をさらに細分化する方法で設けられているが、着用者表示１１がなくてもよい。
【００３２】
形状表示１３は、購入者が好む形状を有するナプキンを選択することが出来るよう設けられている。ナプキンの形状については、羽の有無やヒップガードの有無、ギャザーの有無によって幾つかの種類がある。具体的には、例えば、より高い安心感を求めるために羽やヒップガードが付加されているナプキンを好んだり、逆に装着の簡便性を求めるために羽やヒップガードが付加されていないシンプルな形状のナプキンを好んだり、購入者間で好みが異なる。
そこで、本実施形態１においては、例えば、図１に示すように、「羽なし」（１３ａ）、「羽つき」（１３ｂ）、「羽つき※」（ここで、「羽つき※」とは、「羽及びヒップホールドつき」を指す）（１３ｃ）をナプキンの模式図を用いることによって示し、さらに羽の有無については、文字を使っての説明を加えより明確に示した。これにより、模式図を視認することで容易にナプキンの形状を確認することが出来る。
具体的には、本実施形態１においては、例えば、図１に示すように、（着用者表示／使用シーン表示）が（ふつう／昼、外出）の場合、該当する分類範囲におけるナプキンとしては一つの形状についてのみ表示されているが、この条件に該当するナプキンが複数個ある場合、異なる形状を有する複数のナプキンを当該枠内に表示することとなる。このように、一つの形状のみ表示されている場合のみならず、複数の形状が表示されている場合にも、形状表示１３は、購入者がナプキンを選択する際の助けとなる重要な情報として活用される。
【００３３】
長さ表示１４は、購入者が必要と感じる長さを有するナプキンを選択することが出来るよう設けられている。ナプキンの長さは、着用者各々の経血量や使用シーンによって拘束されるが、安心感が得られる長さは購入者によって異なるものであるため、より安心感を高めるためには長さ表示１４も不可欠である。
そこで、本実施形態１においては、例えば、図１に示すように、（着用者表示／使用シーン表示）で区分けされた分類範囲を示す枠内の形状表示１３に対応させて長さ表示１４を設けている。
本実施形態１においては、例えば、図１に示すように、（着用者表示／使用シーン表示）が（ふつう／昼、外出）の場合、該当する分類範囲におけるナプキンとしては一つの長さについてのみ表示されているが、この条件に該当するナプキンが複数個ある場合、異なる長さを有する複数のナプキンを当該枠内に表示することとなる。このように、一つの長さのみ表示されている場合のみならず、複数の長さが表示されている場合にも、長さ表示１４は、購入者がナプキンを選択する際の助けとなる重要な情報として活用される。
【００３４】
シリーズ表示１５は、購入者が好むシリーズを選択することが出来るよう設けられている。ナプキンのシリーズについては、例えばナプキンの薄さを特徴とするスリムシリーズ、大量の経血を吸収することが出来、たっぷりとした形状を特徴とする吸収シリーズ、ベーシックな形状のスタンダードシリーズ等が挙げられ、シリーズについても購入者によってその好みは異なる。
本実施形態１においては、例えば、図１に示すように、（使用者表示／使用シーン表示）が（ふつう／昼、外出）の場合、該当する分類範囲におけるナプキンとしては、一つのシリーズについてのみ表示されているが、この条件に該当するナプキンが複数個ある場合、異なるシリーズの複数のナプキンを当該枠内に表示することとなる。このように、一つのシリーズのみ表示されている場合のみならず、複数のシリーズが表示されている場合にも、シリーズ表示１５は、購入者がナプキンを選択する際の助けとなる重要な情報として活用される。
【００３５】
以上説明した分類をまとめると、一つの案内表示２の中に複数のシリーズが含まれることとなる。これにより、ナプキンを選択する際に、同じシリーズのみならず、異なるシリーズにおけるナプキンも選択肢に含むことが可能となり、シリーズを越えて、より幅広い分類範囲の多くの種類の中から最適なナプキンを選択することができる。
【００３６】
以上、説明した実施形態１の包装体１によれば、包装体１の前面１ａに案内表示２等が設けられることによって、購入者は包装体１を手に取ることなく、案内表示２や商品名表示３、包装個数表示６等を視認することが出来ることとなる。これにより、周囲に人がいても、恥ずかしいという感情を起こさせることがなくなる。また、例えば、陳列棚の上段の包装体を確認する際にも、手を伸ばしたり、台に上がったり等して取る必要がなくなるので、面倒であるという感情を起こさせることがなくなる。
また、包装体１で包装された被包装ナプキンが、他のナプキンと識別可能な態様にて表示されていることによって、該包装体１で包装された被包装ナプキンを確実に認識することができる。
さらに、案内表示２が包装体１の前面１ａに設けられ、案内表示２においてナプキンの形状が模式的に表示されているため、ナプキンの図柄表示５を包装体１の前面１ａに大きく表示する必要がなくなり、極力小さくすることが可能になる。これにより、ナプキンの図柄表示５が大きいことによって与えてしまう恥ずかしいという感情を起こさせることがなくなり、買い易くなる。
その上、案内表示２に着用者表示１１が含まれるため、購入者は使用時の経血量を考慮してナプキンを選択することが出来る。これにより、目的に合ったナプキンを選択することが出来る。
そして、案内表示２に使用シーン表示１２が含まれるため、購入者は使用シーンに従ってナプキンを選択することが出来る。これにより、より目的に合ったナプキンを選択することが出来る。
また、案内表示２に形状表示１３が含まれるため、購入者は、好みの形状のナプキンを選択することが出来る。これにより、好み及び目的に合ったナプキンを選択することが出来る。
さらに、案内表示２に長さ表示１４が含まれるため、購入者は、好みの長さのナプキンを選択することが出来る。これにより、さらに好みや目的に合ったナプキンを選択することが出来る。
その上、案内表示２にシリーズ表示１５が含まれるため、購入者は、好みのシリーズのナプキンを選択することが出来る。これにより、さらに好みや目的に合ったナプキンを選択することが出来る。
そして、一の案内表示２の中に様々なシリーズのナプキンが表示されることによって、ナプキンを選択する際に、同じシリーズのみならず、異なるシリーズにおけるナプキンも選択肢に含むことが可能となり、シリーズを越えて、より幅広い分類範囲の多くの種類の中から選択することが可能になって、好みや目的に合致したナプキンを選択することが出来る。
【００３７】
＜変形例＞
図２に、実施形態１における変形例のナプキンの包装体の斜視図を示した。
図２の変形例の包装体１００を説明するにあたっては、実施形態１の包装体１と同様の構成については、同一の符号を付し、詳細な説明は省略する。
図２の包装体１００の案内表示１０１の場合、その分類が、着用者表示１１で分類されている点については図１の実施形態１の案内表示２と同一だが、使用シーン表示１２については、昼と夜のみで分類した。この場合、着用者表示１１の、「少ない」（１１ａ）、「ふつう」（１１ｂ）、「多い」（１１ｃ）と使用シーン表示１２の「昼」（１２ｄ）、「夜」（１２ｅ）によってナプキンが分類されることとなる。
また、（着用者表示／使用シーン表示）が（少ない／昼）で分類される分類範囲に属するナプキンとして、図１においては、Ｂシリーズ、羽なし、２０ｃｍのナプキンが挙げられたが、図２においては、Ｂシリーズ、羽なし、２０ｃｍ、ギャザーつきのナプキン（１３ｄ）が挙げられている点で異なる。
またその他に、案内表示に表示される情報として、ナプキンの吸収量に関する吸収量表示（以下、「吸収量表示」という）１６が設けられている点で異なる。
具体的には、着用者表示１１として設けられている項目に、「少ない」「（１５ｍｌ）」（１６ａ）、「ふつう」「（３０ｍｌ）」（１６ｂ）、「多い」「（５０ｍｌ）」（１６ｃ）と、それぞれの分類範囲におけるナプキンが吸収可能な経血量の目安となる具体的な数字、つまり吸収量表示１６が表示されている。
【００３８】
図２における案内表示１０１においては、案内表示１０１内に表示する情報を簡潔に、コンパクトにすることが出来ることとなり、印刷スペースの限られている包装体前面の面積が小さい包装体や、デザインをシンプルにしたい包装体において効果的に利用することが出来る。
また、ギャザーの有無を案内表示１０１を視認することによって認識することが出来、より確実に、好みや目的に合ったナプキンを選択することが出来る。
さらに、ナプキンが吸収可能な経血量の目安となる数値が表示（吸収量表示）されていることによって、「少ない」、「ふつう」、「多い」量を具体的に認識することとなり、自身の経血量を考慮に入れた上でナプキンを選択することが出来、より確実に目的に合ったナプキンを選択することが出来る。
【００３９】
（実施形態２）
次に、本願発明の実施形態２のナプキンの包装体について、図３を用いて説明する。図３は実施形態２のナプキンの包装体の斜視図である。
図３の実施形態２の包装体２００を説明するにあたっては、実施形態１の包装体１と同様の構成については、同一の符号を付し、詳細な説明は省略する。
図３に示した包装体２００の案内表示２０１においては、着用者表示１１及び使用シーン表示１２を設けて分類し、それぞれの分類に属するナプキンの形状、長さ及びシリーズが表示されている点で実施形態１と同様である。
本実施形態２における包装体２００ではさらに、それぞれのシリーズが識別可能に着色されている。着色は、本実施形態２においては、例えば、図３に示すように、分類された各枠内全体に施されているが、枠内の一部分でも構わない。
着色の詳細としては、（着用者表示／使用シーン表示）が、（ふつう／昼・自宅）及び（少ない／夜）に該当するＡシリーズが濃い色（例えば黒の近似色）で、（少ない／昼）、（ふつう／昼、外出）及び（ふつう／昼、長時間）に該当するＢシリーズが中間色（例えばグレーの近似色）で、（ふつう／夜）、（多い／昼）及び（多い／夜）に該当するＣシリーズが淡い色（例えば乳白の近似色）でそれぞれ着色されてなる。各シリーズに施す色としては、当然、有彩色であっても構わないし、模様や図柄等を用いても構わない。
【００４０】
実施形態２の包装体２００においては、被包装ナプキンが属するシリーズに与えられた色と同系の色が包装体２００のベース色として着色され、若しくは包装体２００の目立つ箇所に着色される。これにより、包装体２００を一見しただけで、当該包装体２００に包装される被包装ナプキンの属するシリーズを認識することが可能となる。
さらに、シリーズを認識するのみならず、例えば、被包装ナプキンの属するシリーズとは異なるシリーズからナプキンを選択したい際に、目的とするナプキンを容易に探し出すことが出来る。つまり、案内表示２０１において、目的とするナプキンを選択し、そのナプキンが属するシリーズに該当する色を確認することによって、従来であれば全ての包装体群の中から目的物を探し出すところを、特定の色が施された包装体群の中から探し出すこととなり、より限られた包装体群から選び出せば良いこととなって、より容易に探し出すことが可能となる。
さらには前述した通り、案内表示２０１が包装体２００の前面１ａに配されていることによって、包装体ひとつひとつを手にとって被包装ナプキンの形状などを確認する手間を省略することが出来る。これにより、目的のナプキンを探し出すまでの手間と時間を短縮することが出来ることとなる。
【００４１】
つまり、包装体２００の案内表示２０１によれば、案内表示２０１においてシリーズ毎に統一された色が配されることによって、案内表示２０１を一見しただけで、シリーズの種類とそれに属するナプキンの種類を確認することができるのみならず、目的とするシリーズに該当する色と同系の色が外装体に施されることによって、異なるシリーズのナプキンを選ぶ際に包装体を手に取って確認する作業を省略することが出来、より容易に目的のナプキンを選択することができる。
【００４２】
＜変形例＞
図４に、実施形態２における変形例のナプキンの包装体の斜視図を示した。
図４の変形例の包装体３００を説明するにあたっては、実施形態１の包装体１と同様の構成については、同一の符号を付し、詳細な説明は省略する。
実施形態２の包装体２００及び案内表示２０１が色彩によって識別可能に表示されているのに対して、図４に示した包装体３００の案内表示３０１においては、模様を用いて識別可能とした。模様の詳細としては、（着用者表示／使用シーン表示）が、（ふつう／昼・自宅）及び（少ない／夜）に該当するＡシリーズに十字模様を、（少ない／昼）、（ふつう／昼、外出）及び（ふつう／昼、長時間）に該当するＢシリーズに水玉模様を、（ふつう／夜）、（多い／昼）及び（多い／夜）に該当するＣシリーズにダイヤ模様を配することによって識別可能とした。
【００４３】
案内表示３０１においては、単色で全てのシリーズに模様を配することが出来、限られた色彩であっても各シリーズを識別可能とすることが出来るのみならず、色彩の判断がつきずらい購入者に対しても効果的に訴えることが出来る。
【００４４】
（実施形態３）
次に、本願発明の実施形態３の包装体について図５を用いて説明する。図５は実施形態３のナプキンの包装体包装体の斜視図である。
図５の実施形態３の包装体４００を説明するにあたっては、実施形態１の包装体１と同様の構成については、同一の符号を付し、詳細な説明は省略する。
図５に示した包装体４００の案内表示４０１においては、案内表示を一つのシリーズに限定して包装体前面１ａに設けた。具体的には、Ａシリーズに限定し、着用者表示１１、形状表示１３、長さ表示１４等が表示されており、その表示形式は実施形態１や実施形態２の様な表形式ではないが、表形式としても構わない。
案内表示４０１においては、案内表示内に表示する情報を簡潔に、コンパクトにすることが出来ることとなり、印刷スペースの限られている包装体前面の面積が小さい包装体や、デザインをシンプルにしたい包装体において効果的に利用することが出来る。
【００４５】
＜変形例１＞
図６に、実施形態３における変形例１のナプキンの包装体の斜視図を示した。
図６の変形例の包装体５００を説明するにあたっては、実施形態１の包装体１と同様の構成については、同一の符号を付し、詳細な説明は省略する。
実施形態３の包装体４００の案内表示４０１が、ナプキンの模式図の外側に形状表示１３（羽の有無）及び長さ表示１４を表示しているのに対し、図６に示した包装体５００の案内表示５０１においては、ナプキンの模式図の内側に形状表示１３（羽の有無）を表示している。
案内表示５０１においても、案内表示内に表示する情報を簡潔に、コンパクトにすることが出来ることとなり、印刷スペースの限られている包装体前面の面積が小さい包装体や、デザインをシンプルにしたい包装体において効果的に利用することが出来る。
【００４６】
＜変形例２＞
図７に、実施形態３における変形例２のナプキンの包装体の斜視図を示した。
図７の変形例２の包装体６００を説明するにあたっては、実施形態１の包装体１と同様の構成については、同一の符号を付し、詳細な説明は省略する。
実施形態３の包装体４００の案内表示４０１に比較して、図７に示した変形例２の包装体６００の案内表示６０１は、ナプキンの形状の近傍に、各ナプキンの厚みを示す、厚み表示１７を表示している。本変形例においては、例えば、ふつうタイプの厚みを５ｍｍ（１７ａ）、厚いタイプの厚みを１０ｍｍ（１７ｂ）、スリムタイプの厚みを１ｍｍ（１７ｃ）とした。
案内表示６０１を視認することによって、各ナプキンの厚みを認識することが出来ることとなり、より確実に好みや目的に合ったナプキンを選択することが出来る。
【００４７】
尚、本実施の形態においては、生理用ナプキンを用いて説明を行ったが、これに限られることはなく、例えば使い捨てタイプの子供用おむつや大人用おむつについても適用が可能である。
使い捨てタイプの子供用おむつの場合、着用者表示１１として、「新生児」や「乳幼児」といった月齢や、「３〜５ｋｇ」「５〜１０ｋｇ」といった体重等を用いて分類し、使用シーン表示１２として、「横になったまま」、「ハイハイが出来る」、「立てる」等を用いて分類することによって、使用目的に合致した使い捨てタイプの子供用紙おむつを選択することが出来る。
さらに、使い捨てタイプの大人用おむつの場合、着用者表示１１としては、「細め」、「ふつう」、「太め」といった体型や、「少なめ」、「ふつう」、「多め」といった体液の量等を基準として分類し、使用シーン表示１２として、「自立可能」、「介護があれば立てる」、「寝たきり」といった身体介護レベルで分類することによって、使用目的に合致した適切な使い捨てタイプの大人用紙おむつを選択することが出来る。
【図面の簡単な説明】
【００４８】
【図１】本願発明の吸収性物品の陳列用包装体を適用した実施形態１の生理用ナプキンの包装体の斜視図である。
【図２】実施形態１における変形例の生理用ナプキンの包装体の斜視図である。
【図３】本願発明の吸収性物品の陳列用包装体を適用した実施形態２の生理用ナプキンの包装体の斜視図である。
【図４】実施形態２における変形例の生理用ナプキンの包装体の斜視図である。
【図５】本願発明の吸収性物品の陳列用包装体を適用した実施形態３の生理用ナプキンの包装体の斜視図である。
【図６】実施形態３における変形例１の生理用ナプキンの包装体の斜視図である。
【図７】実施形態３における変形例２の生理用ナプキンの包装体の斜視図である。
【符号の説明】
【００４９】
１        包装体
１ａ      前面
２        案内表示
３        商品名表示
４        販売元表示
５        ナプキンの図柄表示
６        包装個数表示
１１ａ、１１ｂ、１１ｃ  着用者表示
１２ａ、１２ｂ、１２ｃ、１２ｄ、１２ｅ  使用シーン表示
１３ａ、１３ｂ、１３ｃ、１３ｄ  形状表示
１４      長さ表示
１５      シリーズ表示
１６ａ、１６ｂ、１６ｃ  吸収量表示
１７ａ、１７ｂ、１７ｃ  厚み表示
１００    包装体
１０１    案内表示
２００    包装体
２０１    案内表示
３００    包装体
３０１    案内表示
４００    包装体
４０１    案内表示
５００    包装体
５０１    案内表示
６００    包装体
６０１    案内表示
【図１】
2005126119.tif 000003
【図２】
2005126119.tif 000004
【図３】
2005126119.tif 000005
【図４】
2005126119.tif 000006
【図５】
2005126119.tif 000007
【図６】
2005126119.tif 000008
【図７】
2005126119.tif 000009